(57)【特許請求の範囲】
【請求項１】
押圧操作釦と、
この押圧操作釦の押圧方向への第１の移動量の移動によってスイッチ入力がなされる第１のキー入力手段と、
前記押圧操作釦の押圧方向への前記第１の移動量以上の第２の移動量の移動によってスイッチ入力がなされる第２のキー入力手段と、
前記第１のキー入力手段によるキー入力によって予め定められた処理を行なわせる第１の制御手段と、
前記第１のキー入力手段によるキー入力があっても前記予め定められた処理を行わせず前記第２のキー入力手段によるキー入力があった際に前記予め定められた処理を行わせる第２の制御手段と、
を備えたことを特徴とする電子機器。
【請求項２】
更に、前記電子機器が大気中にあるか水中にあるかを検出する検出手段を備え、大気中にあることが検出された場合には前記第１の制御手段によって前記予め定められた処理を行わせ、水中にある場合には前記第２の制御手段によって前記予め定められた処理を行わせることを特徴とする請求項１に記載の電子機器。
【請求項３】
前記押圧操作釦が前記第１の移動量を移動するための荷重と、前記押圧操作釦が前記第１の移動量を移動した位置から前記第２の移動量の移動によって前記第２のキー入力のスイッチ入力がなされる位置まで移動する為の荷重はほぼ等しいことを特徴とする請求項１に記載の電子機器。
【請求項４】
前記第１のキー入力手段は、中央部が上方に向けて湾曲された弾性を有する第１の可動接点部材と、この第１の可動接点部材の下方に前記第１の可動接点部材と間隔を存して配置された中央部が上方に向けて湾曲された弾性を有する第２の可動接点部材とを備え、
前記第２のキー入力手段は、前記第２の可動接点部材の下方に設けられた固定接点部材を備えることを特徴とする請求項１に記載の電子機器。
【請求項５】
前記押圧操作釦が前記押圧方向へ前記第１の移動量を移動した際に第１の可動接点部材の前記中央部が押し下げられ前記第２の可動接点部材の中央部に当接して前記第１のキー入力手段の前記スイッチ入力がなされ、前記押圧操作釦が前記第１の移動量を移動した位置から更に押し下げられ前記第２の移動量を移動した際に前記第２の可動接点部材の前記中央部が押し下げられて前記固定接点部材に当接して前記第２のキー入力手段の前記スイッチ入力がなされることを特徴とする請求項４に記載の電子機器。
【請求項６】
押圧操作釦と、
中央部が上方に向けて湾曲された弾性を有する第１の可動接点部材と、この第１の可動接点部材の下方に前記第１の可動接点部材と間隔を存して配置された中央部が上方に向けて湾曲された弾性を有する第２の可動接点部材とを備え、前記押圧操作釦の押圧方向への所定量の移動によってスイッチ入力がなされる第１のキー入力手段と、
前記第２の可動接点部材の下方に設けられた固定接点部材を備え、前記押圧操作釦の前記所定量以上の移動によってスイッチ入力がなされる第２のキー入力手段と、
前記第１のキー入力手段によるキー入力によって予め定められた処理を行なわせる第１の制御手段と、
前記第１のキー入力手段によるキー入力があっても前記予め定められた処理を行わせず前記第２のキー入力手段によるキー入力があった際に前記予め定められた処理を行わせる第２の制御手段と、
を備えたことを特徴とする電子機器。
【請求項７】
前記押圧操作釦が前記押圧方向へ前記所定量移動した際に第１の可動接点部材の前記中央部が押し下げられ前記第２の可動接点部材の中央部に当接して前記第１のキー入力手段の前記スイッチ入力がなされ、前記押圧操作釦が前記所定量移動した位置から更に押し下げられた際に前記第２の可動接点部材の前記中央部が押し下げられて前記固定接点部材に当接して前記第２のキー入力手段の前記スイッチ入力がなされることを特徴とする請求項６に記載の電子機器。
【請求項８】
電子機器のコンピュータに、
押圧操作釦の押圧方向への第１の移動量の移動によってスイッチ入力がなされる第１のキー入力機能、
前記押圧操作釦の押圧方向への前記第１の移動量以上の第２の移動量の移動によってスイッチ入力がなされる第２のキー入力機能、
前記第１のキー入力機能によるキー入力によって予め定められた処理を行なわせる第１の制御機能、
前記第１のキー入力機能によるキー入力があっても前記予め定められた処理を行わせず前記第２のキー入力機能によるキー入力があった際に前記予め定められた処理を行わせる第２の制御機能、
を実現させるためのプログラム。
【発明の詳細な説明】
【技術分野】
【０００１】
本発明は、水中などにおいてもキー入力ができるようにした電子機器及びプログラムに関する。
【背景技術】
【０００２】
従来、大気中だけでなく水中でも使用できる電子機器、例えば、水中カメラや水深計等にあっては、大気中だけでなく水中でも押圧操作可能な押釦キーを備えており、この押釦キーは、水中における水圧の影響を受けてオン状態となってしまうことを防止するため、弾性力の強いバネなどを用いて水圧に抗し得る付勢力を発生させるようになっている。この場合、水深が深ければ深い程付勢力を強くする必要があり、その為、陸上の大気中で押圧操作する場合には極めて大きな力で操作しなければならなかった。
【０００３】
そこで、大気中においても、また、水中においても大気中と同等の押圧力で操作できるようにすることが考えられており、例えば、シーソー部材の一端が外気圧で押圧されるようにし、他端がその押圧力で押釦の操作子を外部に押し出すように構成することにより、水中で受けた水圧を押釦の操作子を外部に押し出す力に加えることにより、操作子を外部に押し出す力と押釦が受ける水圧と相殺することによって大気中と同等の押圧力で押釦を操作可能にしている（特許文献１参照）。
【先行技術文献】
【特許文献】
【０００４】
【特許文献１】特開２００６−１５６１１５号公報
【発明の概要】
【発明が解決しようとする課題】
【０００５】
しかしながら、押釦が受ける水圧を相殺する為にシーソー部材などを設けることは押釦キーの構造が複雑化すると共に機器自体が大型化してしまう欠点があった。
【０００６】
本発明は上記の課題を解決するためになされたもので、極めて簡単な構成で、大気中あるいは水中など異なった環境でも良好に押釦の押圧操作が出来るようにした電子機器及びプログラムを提供するものである。
【課題を解決するための手段】
【０００７】
上記の課題を解決するために、本発明の請求項１に記載の電子機器は、押圧操作釦と、この押圧操作釦の押圧方向への第１の移動量の移動によってスイッチ入力がなされる第１のキー入力手段と、前記押圧操作釦の押圧方向への前記第１の移動量以上の第２の移動量の移動によってスイッチ入力がなされる第２のキー入力手段と、前記第１のキー入力手段によるキー入力によって予め定められた処理を行なわせる第１の制御手段と、前記第１のキー入力手段によるキー入力があっても前記予め定められた処理を行わせず前記第２のキー入力手段によるキー入力があった際に前記予め定められた処理を行わせる第２の制御手段とを備えたことを特徴とする。
【０００８】
また、請求項２の発明は、更に、前記電子機器が大気中にあるか水中にあるかを検出する検出手段を備え、大気中にあることが検出された場合には前記第１の制御手段によって前記予め定められた処理を行わせ、水中にある場合には前記第２の制御手段によって前記予め定められた処理を行わせることを特徴とする。
【０００９】
請求項３の発明は、前記押圧操作釦が前記第１の移動量を移動するための荷重と、前記押圧操作釦が前記第１の移動量を移動した位置から前記第２の移動量の移動によって前記第２のキー入力のスイッチ入力がなされる位置まで移動する為の荷重はほぼ等しいことを特徴とする。
【００１０】
請求項４の発明は、前記第１のキー入力手段は、中央部が上方に向けて湾曲された弾性を有する第１の可動接点部材と、この第１の可動接点部材の下方に前記第１の可動接点部材と間隔を存して配置された中央部が上方に向けて湾曲された弾性を有する第２の可動接点部材とを備え、前記第２のキー入力手段は、前記第２の可動接点部材の下方に設けられた固定接点部材を備えることを特徴とする。
【００１１】
請求項５の発明は、前記押圧操作釦が前記押圧方向へ前記第１の移動量を移動した際に第１の可動接点部材の前記中央部が押し下げられ前記第２の可動接点部材の中央部に当接して前記第１のキー入力手段の前記スイッチ入力がなされ、前記押圧操作釦が前記第１の移動量を移動した位置から更に押し下げられ前記第２の移動量を移動した際に前記第２の可動接点部材の前記中央部が押し下げられて前記固定接点部材に当接して前記第２のキー入力手段の前記スイッチ入力がなされることを特徴とする。
請求項６の発明は、押圧操作釦と、中央部が上方に向けて湾曲された弾性を有する第１の可動接点部材と、この第１の可動接点部材の下方に前記第１の可動接点部材と間隔を存して配置された中央部が上方に向けて湾曲された弾性を有する第２の可動接点部材とを備え、前記押圧操作釦の押圧方向への所定量の移動によってスイッチ入力がなされる第１のキー入力手段と、前記第２の可動接点部材の下方に設けられた固定接点部材を備え、前記押圧操作釦の前記所定量以上の移動によってスイッチ入力がなされる第２のキー入力手段と、前記第１のキー入力手段によるキー入力によって予め定められた処理を行なわせる第１の制御手段と、前記第１のキー入力手段によるキー入力があっても前記予め定められた処理を行わせず前記第２のキー入力手段によるキー入力があった際に前記予め定められた処理を行わせる第２の制御手段とを備えたことを特徴とする。
請求項７の発明は、前記押圧操作釦が前記押圧方向へ前記所定量移動した際に第１の可動接点部材の前記中央部が押し下げられ前記第２の可動接点部材の中央部に当接して前記第１のキー入力手段の前記スイッチ入力がなされ、前記押圧操作釦が前記所定量移動した位置から更に押し下げられた際に前記第２の可動接点部材の前記中央部が押し下げられて前記固定接点部材に当接して前記第２のキー入力手段の前記スイッチ入力がなされることを特徴とする。
【００１２】
また、本発明の請求項８に記載のプログラムは、電子機器のコンピュータに、押圧操作釦の押圧方向への第１の移動量の移動によってスイッチ入力がなされる第１のキー入力機能、前記押圧操作釦の押圧方向への前記第１の移動量以上の第２の移動量の移動によってスイッチ入力がなされる第２のキー入力機能、前記第１のキー入力機能によるキー入力によって予め定められた処理を行なわせる第１の制御機能、前記第１のキー入力機能によるキー入力があっても前記予め定められた処理を行わせず前記第２のキー入力機能によるキー入力があった際に前記予め定められた処理を行わせる第２の制御機能を実現させるためのプログラムである。
【発明の効果】
【００１３】
本発明によれば、極めて簡単な構成で、異なった環境でも同様の操作力で良好に押釦の押圧操作が出来る。
【図面の簡単な説明】
【００１４】
【図１】本発明の電子機器１の構成を示した回路ブロック図。
【図２】図２（ａ）は図１の電子機器１の正面図、（ｂ）は分解斜視図。
【図３】図２の操作釦２３の位置における拡大断面図。
【図４】図４（ａ）は、図３に示したスイッチ接点基板２９の拡大断面図、（ｂ）は正面図、（ｃ）は分解斜視図。
【図５】図５（ａ）は、操作釦２３の大気中での状態を示す断面図、（ｂ）は水中での状態を示す断面図。
【図６】図６（ａ）は、大気中での押圧操作状態を説明する図、（ｂ）は水中での操作状態を説明する図。
【図７】図１の電子機器１の動作フローチャート図。
【図８】本発明の他の実施の形態を示す図
【発明を実施するための形態】
【００１５】
以下、本発明の実施の形態を、図面を参照して詳細に説明する。
【００１６】
図１は、本発明の電子機器である水深計機能を備えた携帯電話装置１の回路ブロック図である。図において、中央制御部（ＣＰＵ）２には、各種のプログラムが記憶されている図示しないＲＯＭ（リード・オンリ・メモリ）が設けられており、制御部２は、上記ＲＯＭに記憶されているプログラムを動作させることにより携帯電話装置１の全体の動作を制御する。
【００１７】
即ち、上記ＲＯＭには、後述するフローチャートを実行させるためのプログラムや通話（電話）機能、スケジュール機能、電子メール機能、Ｗｅｂサイト閲覧機能、アドレス帳機能、水深計機能等、各種の機能のアプリケーションを実行させるためのアプリケーションプログラムが記憶されており、中央制御部２は、上記ＲＯＭに記憶されたプログラムに基づいてこの携帯電話装置１の全体の動作を制御する。
【００１８】
表示部３は、例えば、反射型のドットマトリクスタイプのカラー液晶表示装置から構成され、電話機能として必要な情報（相手方の電話番号、電波受信状態、電池残量等の情報）を表示するとともに、電子メールやＷｅｂサイトの内容表示を行う。又、アドレス帳機能においてはアドレス帳情報（氏名、住所及び電話番号などのデータ）を表示する。
【００１９】
また、水深計機能の動作時においては、計測された水深情報を表示し、更に、いずれの機能表示状態においても計時部４において計時されている月日時分の現在時刻情報が表示されるようになっている。
【００２０】
上記表示部３を構成する液晶表示装置の下面には液晶表示装置を照明するバックライト装置５が配置されている。上記表示部３は反射型のカラー液晶表示装置から構成されているため、周囲が明るいときにはバックライト装置による照明は必要ないが、夜間あるいは水中などの暗所においては詳細を後述する押釦式の照明キー６を押圧操作してバックライト装置５による照明を行わせるように構成されている。
【００２１】
操作部７は、この携帯電話装置１に設けられた上記照明キー６以外の操作キーであり、詳細は図示していないが、電源のオン・オフを行う電源ＯＮキー、電源ＯＦＦキー、数値情報及び文字情報を入力する数値文字入力キー、各種機能の起動及び終了を選択する各種のアプリケーションキー、通話のオンフックキー及びオフフックキー等各機能を動作させるためのキーを備えている。
【００２２】
記憶部８は、ＲＡＭ（ランダム・アクセス・メモリ）を備えており、このＲＡＭには各種演算や一時記憶などのための図示しないワークエリア、及び表示部３に表示させる表示データを記憶するための表示メモリエリアを有する。
【００２３】
また、記憶部８は、上記ＲＡＭ以外に不揮発性のフラッシュメモリを備えていて、各種のアプリケーションに関連する情報（データ）を記憶する。即ち、具体的に図示していないが、例えば、アドレス帳機能のアドレス帳情報を記憶するアドレス帳情報記憶部、スケジュール情報を記憶するスケジュール情報記憶部、電子メール機能の送受信メール情報を記憶する電子メール情報記憶部、インターネット機能のＷｅｂサイトのＵＲＬ情報などを記憶するＷｅｂ情報記憶部、計測した水深情報を記憶する水深情報記憶部などが設けられている。
【００２４】
圧力センサ９は、水深計機能の実行時に水圧を計測して水深情報を得る。この水深計機能の実行時の水深情報は中央制御部２を介して記憶部８に送られ上記水深情報記憶部に記憶されると共に表示部３に表示される。
【００２５】
無線通信部（送受信部）１０は、電話の通話機能としての動作時にはアンテナ１１から取り込んだ音声の無線信号を受信ベースバンド信号に復調した後に、音声信号処理部１２を介して受話スピーカ１３から音声出力させる。また、送話マイク１４から入力された音声信号を音声信号処理部１２で処理させた後に無線通信部１０に送り、無線通信部１０では音声信号を送信ベースバンド信号に符号化したのちにアンテナ１１から送信出力させる。
【００２６】
また、電子メール機能、インターネット接続機能等の動作時には、アンテナ１１及び無線通信部１０を介して電子メールの送受信およびＷｅｂサイトの閲覧が可能であり、電子メールの送受信情報及びＷｅｂサイトの閲覧情報は表示部３に送られて表示出力される。
【００２７】
計時部４は、日付や時分秒などの現在時刻情報を計時する計時手段を備えており、現在時刻情報は中央制御部２を介して表示部３に送られて表示される。
【００２８】
照明キー６は、その構造に関しては後述するが、２段式の押釦スイッチで構成されており、可動端子６Ａ、可動端子６Ｂ及び固定端子６Ｃを有している。そして、可動端子６Ａには、中央制御部２の出力端子２Ａから基準電圧が供給されている。
【００２９】
上記可動端子６Ｂは可動端子６Ａと接触することにより可動端子６Ａから供給される上記基準電圧を中央制御部２の入力端子２Ｂに第１のスイッチ入力信号として供給し、固定端子６Ｃは可動端子６Ａと接触することによって可動端子６Ａから供給される上記基準電圧を中央制御部２の入力端子２Ｃに第２のスイッチ入力信号として供給するようになっている。
【００３０】
電源部１７は、後述する充電可能な二次電池３３と、この二次電池３３の電池電圧が低下した際に上記各回路部にバックアップ電圧を供給する図示しないバックアップ電池とからなり、上述した各回路部に駆動電圧を供給するものである。
【００３１】
図２（ａ）は、上記携帯電話装置１の正面外観図であり、機器ケース２０の上半分に透明な表示ガラス２１が取り付けられていて、この表示ガラスの内部に図１に示した表示部３が配置されている。また、機器ケース２０の下半分には操作釦２３及びこの操作キー２３以外の多数の操作釦２４Ａ、２４Ｂ、２４Ｃ、・・・が配置されている。
【００３２】
操作釦２３は、図１に示した照明キー６の操作釦であり、また、２４Ａ、２４Ｂ、２４Ｃ、・・・は、図１の操作部７において説明した電源ＯＮキー、電源ＯＦＦキー、数値情報及び文字情報を入力する数値文字入力キー、各種機能の起動及び終了を選択する各種のアプリケーションキー、通話のオンフックキー及びオフフックキー等の操作釦である。
【００３３】
図２（ｂ）は、上記携帯電話装置１の内部構成の分解斜視図である。但し、全ての部材について図示しているのではなく主要部材のみ分解斜視図で示してある。
【００３４】
然して、機器ケース２０は、上部機器ケース２０Ａと下部機器ケース２０Ｂとから構成されており、上部機器ケース２０Ａには上記表示ガラス２１が配置され、また、上記各操作釦２３、２４Ａ、２４Ｂ、２４Ｃ、・・・が配置される開口２５、２６Ａ、２６Ｂ、２６Ｃ、・・・が形成されている。
【００３５】
上記操作釦２３、２４Ａ、２４Ｂ、２４Ｃ、・・・は硬質性の合成樹脂材料で構成されており、比較的軟質材料からなる１枚の合成樹脂製のラバー部材（弾性部材）２７上に一体成形されている。尚、操作釦２３、２４Ａ、２４Ｂ、２４Ｃ、・・・の一体成形された位置は上記開口２５、２６Ａ、２６Ｂ、２６Ｃ、・・・に対応する位置である。
【００３６】
図３は、図１の上記操作釦２３の位置における断面図であり、ラバー部材２７下面の下面で且つ操作釦２３に対応する位置には下方突起部２７Ａがスイッチ可動部材として形成されている。尚、このような下方突起部２７Ａは、上記操作釦２３、２４Ａ、２４Ｂ、２４Ｃ、・・・の全てに対応する位置において形成されているものである。
【００３７】
ラバー部材２７の周縁部には肉厚部２７Ｂが形成され、この周縁部の肉厚部２７が、上部機器ケース２０Ａと下部機器ケース２０Ｂとが組み合わされたときの開口２０Ｃに圧入配置されることによって、両機器ケース２０Ａ及び２０Ｂ間の防水及び開口２５、２６Ａ、２６Ｂ、２６Ｃ、・・・から侵入する水滴などの防水がなされる様になっている。
【００３８】
ラバー部材２７の下面には、上記ラバー部材２７下面の下方突起部２７Ａが挿入配置される開口２８Ａ、２８Ｂ、２８Ｃ、・・・が形成された金属製のストッパ部材２８が設けられている。また、このストッパ部材２８の下面には、所定間隔を存してスイッチ接点基板２９が設けられ、ストッパ部材２８とスイッチ接点基板２９との間には多数のバネ部材３０、３０、・・・が適宜配置されている。
【００３９】
上記スイッチ接点基板２９の詳細については後述するが、このスイッチ接点基板２９の下面には、図１に示した回路ブロックの主要部分を構成する図示しない集積回路やバックアップ電池等が取り付けられた回路基板３１が配置されている。
【００４０】
この回路基板３１には、圧力センサ３２（図１の圧力センサ９に該当する）が配線３２Ａを介して取り付けられており、上記圧力センサ３２は、下部機器ケース２０Ｂの図示しない開口に防水構造を持って取り付けられ、水中における水圧を測定する。
【００４１】
また、回路基板３１の下面には、図１の電源部１７で説明した二次電池３３が配置されている。
【００４２】
図４（ａ）は、図３に示したスイッチ接点基板２９の拡大断面図、図４（ｂ）は正面図、図４（ｃ）は分解斜視図である。スイッチ接点基板２９の図４（ａ）におけるほぼ中央部上面には、固定電気的接点（固定接点）２９Ａが形成されている。この固定接点２９Ａは、図１の固定端子６Ｃに該当するものであり、上記固定接点２９Ａはスイッチ接点基板２９のスルホール２９Ｂを介してスイッチ接点基板２９の裏面側に引き出され、図示していないが回路基板３１に電気的接続され、図１に示した中央制御部２の入力端子２Cに入力されている。
【００４３】
上記スイッチ接点基板２９の上面には、上記固定接点２９Ａを囲んでドーナツ状の固定接点２９Ｃが形成されており、この固定接点２９Ｃ上には金属製で且つ中央部に向けて湾曲形成された円板状弾性部材２９Ｄがその端部を上記固定接点２９Ｃと電気的接触する様に導電性接着剤などで接着固定されている。
【００４４】
上記円板状弾性部材２９Ｄは、図１の可動端子６Ａに該当するものであり、上記固定接点２９Ｃはスイッチ接点基板２９上面の配線２９Ｅを介して回路基板３１に電気的接続されており、上記配線２９Ｅには、図１に示した中央制御部２の出力端子２Ａからの基準電圧が供給されている。
【００４５】
また、円板状弾性部材２９Ｄの中央部には、後述する如く固定接点２９Ａと接触したときに、その接触動作（スイッチング動作）を良好に行わせるために下方突起２９ｄが形成されている。
【００４６】
上記スイッチ接点基板２９の上面には、上記ドーナツ状の固定接点２９Ｃの周辺４箇所には固定接点２９Ｆ、２９Ｆ、・・が形成されており、この固定接点２９Ｆ上には金属製で且つ中央部に向けて湾曲形成された平面十字形状の板状弾性部材２９Ｇがその端部を上記固定接点２９Ｆと電気的接触する様に導電性接着剤などで接着固定されている。
【００４７】
上記板状弾性部材２９Ｇは、図１の可動端子６Ｂに該当するものであり、上記固定接点２９Ｆはスイッチ接点基板２９上面の配線２９Ｈを介して回路基板３１に電気的接続されており、図１に示した中央制御部２の入力端子２Ｂに入力されている。また、上記板状弾性部材２９Ｇ中央部近傍には、円板状弾性部材２９Ｄとのスイッチング動作を良好に行わせるための一対の下方突部２９ｇ、２９ｇが設けられている。
【００４８】
図５（ａ）及び（ｂ）、図６（ａ）及び（ｂ）は、図３及び図４に示した上記操作釦２３が押圧操作或いは水圧などによって押圧方向に移動した際のスイッチング動作を説明する図である。
【００４９】
図５（ａ）は、大気中（陸上）における操作釦２３の状態を示したもので、ラバー部材２７の突起部２７Ａは、その下面が板状弾性部材２９Ｇの中央部上面に接触或いはわずかに離間した状態とされており、ストッパ部材２８はバネ部材３０，３０によって上方に押し上げられている。
【００５０】
図５（ｂ）は、携帯電話装置１の水深計機能を動作させて水中に入ったときの操作釦２３の状態を示したものであり、水中では矢印で示す水圧Ｐにより操作釦２３が押し下げられる。まだ水深が浅い状態においては、バネ部材３０によりストッパ部材２８が耐圧用のストッパとして働くので操作釦２３の降下量は少ないが、水深が深くなってくると水圧によって操作釦２３、ラバー部材２７及びストッパ部材２８がバネ部材３０のバネ力に抗して下降し板状弾性部材２９Ｇを更に押し下げる。
【００５１】
その結果、操作釦２３が所定量下方に移動すると図５（ｂ）に示す様に、板状弾性部材２９Ｇが押し下げられて下方突起２９ｇ、２９ｇが円板状弾性部材２９Ｄの上面に当接することとなる。この場合、図５（ａ）の状態から図５（ｂ）の状態になるまでの荷重は約０．１６Kgｆ（水深約３ｍ）となる様にバネ部材３０のバネ力及び円板状弾性部材２９Ｄの弾性力が設計されている。
【００５２】
図６（ａ）は、図５（ａ）の大気中の状態において、指４０で操作釦２３を押圧操作して板状弾性部材２９Ｇの下方突起２９ｇ、２９ｇを円板状弾性部材２９Ｄの上面に当接させた状態を示している。この場合、上述した如くバネ力及び弾性力が設計されているため、当接までの指４０による荷重は約０．１６Kgｆとなる。
【００５３】
図６（ｂ）は、図５（ｂ）に示した板状弾性部材２９Ｇが押し下げられていて下方突起２９ｇ、２９ｇが円板状弾性部材２９Ｄの上面に当接した水中での状態で、更に、指４０で操作釦２３に荷重をかけて押圧操作した状態を示している。
【００５４】
この状態においては、板状弾性部材２９Ｇが更に押し下げられて下方突起２９ｇ、２９ｇが円板状弾性部材２９Ｄを押し下げて変形させ、円板状弾性部材２９Ｄの下方突起２９ｄがスイッチ接点基板２９上の固定接点２９Ａに当接することとなる。
【００５５】
この場合、図５（ｂ）の状態において、更に約０．１６Kgｆの荷重が加えられることによって、言い換えれば、図５（ｂ）の状態において更に指で約０．１６Kgｆの荷重を加えることによって図６（ｂ）の状態になる様に、バネ部材３０のバネ力、板状弾性部材２９Ｇ及び円板状弾性部材２９Ｄの弾性力が設計されている。
【００５６】
以上の如く、照明キー６の操作釦２３は、板状弾性部材２９Ｇ（６Ｂ）と円板状弾性部材２９Ｄ（６Ａ）とが接触してスイッチ入力がなされる第１のキー入力スイッチと、円板状弾性部材２９Ｄ（６Ａ）と固定接点２９Ａ（６Ｃ）とが接触してスイッチ入力がなされる第２のキー入力スイッチとからなる２段スイッチ構造とされ、第１のキー入力スイッチの入力には約０．１６Kgｆの荷重、第２のキー入力スイッチの入力には、第１のスイッチの入力状態から更に約０．１６Kgｆの荷重が必要となる様に設計されている。
【００５７】
尚、操作釦２３以外の操作釦については、その詳細な構造を説明していないが、本実施も形態では、操作釦２３によってスイッチ入力される照明キー６のみを水中操作が有効としているので、操作釦２３以外の操作釦は、第１のキー入力スイッチのみ設けられ、約０．１６Kgｆの荷重でキー入力がなされる様に構成されている。
【００５８】
然しながら、もし、照明キー以外の操作キーについても水中操作を可能とさせるのであれば、それらのキーの操作釦を上記操作釦２３と同様の構造にすればよいものである。
【００５９】
次に、上記のごとく構成された携帯電話装置１の動作につき、図７のフローチャートを参照して説明する。
【００６０】
ステップＳ１においては、通話（電話）機能における着信があったか否かが判断され、着信があった場合にはステップＳ２に進み発呼者との通話処理を行う。
【００６１】
ステップＳ１において着信でない場合にはステップＳ３に進み、いずれかの操作釦のキー入力（スイッチ入力）があるか否かが判断される。いずれのキー入力もなかった場合にはステップＳ１に戻るが、キー入力があった場合にはステップＳ４に進み、機能キーのキー入力か否かが判断される。
【００６２】
機能キー、即ちスケジュール機能、電子メール機能、Ｗｅｂサイト閲覧機能、アドレス帳機能、水深計機能等の各機能の起動或いは終了のキー入力の場合、ステップＳ５に進んで現在水中にいるか否かを判断する。
【００６３】
この判断は、圧力センサ９から得られる圧力値によって判断するものであり、水中で無い場合にはステップＳ６に進み、夫々のキー入力に応じた機能処理を行う。一方、水中であることが判断された場合にはステップＳ７に進み、そのキー入力を無効にする無効処理を行う。
【００６４】
尚、この場合の無効処理は、例えば機能キーのキー入力が検出された際に、そのキー入力があったことをフラグなどを立て記憶させ、その後、キー入力の機能処理を行う様にする場合、そのフラグを元に戻す（リセットする）処理などを意味するものである。
【００６５】
従って、キー入力が検出されてもフラグを立てるといったことを行わない場合には、上記無効処理には、何の処理も行わずにステップＳ１に戻る様にする処理も含まれる。
【００６６】
ステップＳ４において、キー入力の検出が機能キーでない場合には、ステップＳ６に進み操作釦２３の第１のスイッチである可動端子６Ｂからのキー入力であるか否かが判断される。可動端子６Ｂからのキー入力である場合、これは図５（ｂ）の状態によるキー入力か或いは図６（ａ）の状態によるキー入力であり、この場合にはステップＳ９に進んで、現在水中であるか否かが判断される。
【００６７】
判断の結果、水中であった場合には、図５（ｂ）に示した様に水圧によってキー入力がなされたもので、使用者の意図したキー入力ではないのでステップＳ１０に進んで可動端子６Ｂによるキー入力を無効とする無効処理（何もせずにステップＳ１に戻る処理も含む）を行う。
【００６８】
一方、水中でない場合には、図６（ａ）に示した使用者の指４０によるキー入力であるとしてステップＳ１１に進んでバックライト装置５を点灯させて表示部３の照明を行わせる。  
【００６９】
ステップＳ８において、可動端子６Ｂからのキー入力でなかった場合にはステップＳ１２に進み、固定端子６Ｃからのキー入力であるか否かを判断する。固定端子６Ｃからのキー入力であった場合には、ステップＳ１３に進んで水中か否かを判断し、水中であった場合にはステップＳ１１に進んでバックライト５装置を点灯させる。
【００７０】
ステップＳ１３において水中でないと判断された場合には、大気中で操作釦２３が強く押圧操作されて固定端子６Ｃからのキー入力が検出された場合であり、この場合には、既にステップＳ８、Ｓ９及びＳ１１でバックライト装置５を点灯させる処理が行われているので何もせずにステップＳ１に戻る。
【００７１】
ステップＳ１２において固定端子６Ｃからのキー入力でない場合にはステップＳ１４に進み、他の操作釦のキー入力であると判断して夫々のキー入力に応じた処理がなされる。但し、この場合においても、水中であれば処理は行われず、水中では無いときのみ処理がなされる。
【００７２】
このように、上記の実施の形態では、照明キー６を２段スイッチ構造とし、１段目スイッチ入力の為の荷重及び１段目スイッチ入力状態から２段目のスイッチ入力がなされるまでの荷重を夫々０．１６Ｋｇｆとなる様な構造にすると共に、大気中では１段目のスイッチ入力でバックライト装置５を点灯させ、水中では１段目のスイッチ入力を無効にして２段目のスイッチング入力でバックライト装置５を点灯させるようにしたので、照明キー６の操作釦２３を大気中でも水中でも同じ押圧荷重で押圧してバックライト装置５を点灯させることが出来る。
【００７３】
図８は、本発明によるスイッチ接点基板２９の他の実施の形態を示している。図８において、スイッチ接点基板３１には、固定接点３２、３３及び３４が設けられている。固定接点３２には、中央制御部２の出力端子２Ａからの基準電圧が供給されている。
【００７４】
また、固定接点３３は、図１の中央制御部２の入力端子２Ｂに電気的接続されており、固定接点３４は、中央制御部２の入力端子２Ｃに電気的接続されている。  
【００７５】
即ち、固定接点３２には基準電圧が供給され、固定接点３３は第１のスイッチング出力として中央制御部２の入力端子２Ｂに電気的接続され、固定接点３４は第２のスイッチング出力として中央制御部２の入力端子２Ｃに電気的接続されている。
【００７６】
そして、固定接点３２上には板状弾性部材３５が取り付けられている。この板状弾性部材３５は、図４（ａ）に示した板状弾性部材２９と同様に金属製であるが、上面は平板状の平板部３５Ａが形成され、下面には固定接点３３と対向する位置に突出部３６、中央の固定接点３４と対向する位置に突出部３７が夫々形成されている。また、突出部３７をはさんで一対のバネ部材３８が設けられている。
【００７７】
突出部３６の長さは突出部３７より長く形成され、板状弾性部材３５の平板部３５Ａが押圧された際には、まず突出部３６が固定接点３３に接触し、また、その時、バネ部材３８の下端がスイッチ接点基板３１の上面に当接する。
【００７８】
そして、更に板状弾性部材３５の平板部３５Ａが押圧されると、平板部３５Ａがバネ部材３８のバネ力に抗して下降し中央下面の突出部３７が固定接点３４と当接する。
【００７９】
従って、板状弾性部材３５の平板部３５Ａが押圧されて突出部３６が固定接点３３に接触するまでの荷重を約０．１６Kgｆ、更に、平板部３５Ａが押圧されて中央下面の突出部３７が固定接点３４と当接するまでの荷重を約０．１６Kgｆとなるように設定しておけば、大気中においても、また、水中においても約０．１６Kgｆの押圧力でバックライト装置５を点灯できるものである。
【００８０】
この様に、上記の実施の形態によれば、押圧式の操作釦２３を２段式のスイッチ構造とし、大気中では１段目のキー入力によってバックライト照明を行わせるといった予め定められた所定の処理を行なわせ、水中では１段目のキー入力があっても所定の処理を行わせず、２段目のキー入力があった際に所定の処理を行わせる様に制御するので、極めて簡単な構成で、水中であっても大気中と同様の操作で良好に操作釦の押圧操作で所定の処理を行わせることが出来る。
【００８１】
また、１段目のキー入力によって予め定められた所定の処理を行なわせる制御と、２段目のキー入力によって所定の処理を行わせる制御とを、機器自体が水中にあるか否かで判断して行わせる様にしたので、自動的のその切り替えを行わせることが可能である。
【００８２】
更に、１段目のキー入力の為の荷重と２段目のキー入力の為の荷重とをほぼ同一にすることによって水中でも大気中と同様の操作力でバックライト照明等の所定の処理を行わせることが出来る。
【００８３】
更に、１段目のキー入力は、互いに間隔を存して配置され中央部が上方に向けて湾曲された弾性部材を用い、２段目のキー入力は基板上の固定接点で行う様にしたので、構造が極めて簡単で、且つ、所望の荷重でキー入力させるための設計が極めて容易である。
【００８４】
尚、上記の実施の形態では、１段目のキー入力スイッチと２段目のキー入力スイッチとを同じ荷重にしたが、水中ではあまり力が入らないことを考慮して、２段目のキー入力スイッチの荷重を小さくする等、両者を同じ過重にする必要はないものである。
【００８５】
また、スイッチ入力のための荷重を０．１６Ｋｇｆにしたが、この値は適宜変更可能である。
【００８６】
更に、上記の実施の形態では、照明キーだけを２段スイッチにしたが、他の操作釦を２段スイッチにしてもよい。即ち、水中で必要とされる機能処理については、その操作釦を２段スイッチにすればよいもので、例えば、水中でも全て陸上と同じ機能を行わせたい場合などにあっては、すべての操作キーを２段スイッチにすればよい。
【００８７】
また、２段スイッチの構造は上述した実施の形態に限定されず他の構造であってもよいもので、例えば、円板状或いは板状弾性部材２９Ｄ、２９Ｇは金属製でなく導電性の弾性合成樹脂であってもよく、或いは絶縁性合成樹脂に導電性の配線を施したものであってもよい。
【００８８】
更に、上記実施の形態では、上記携帯電話装置１が水中にあるか否かの検出を圧力センサでおこなったが、他の検出手段、例えば水滴検出センサ等を備えて水中検出を行うようにしてもよい。
【００８９】
また、本発明は携帯電話装置だけでなく、水中カメラ、水深計、腕時計、ＰＤＡ等各種の電子機器に適用することができる。
【符号の説明】
【００９０】
１  携帯電話装置
２  中央制御部
３  表示部
５  バックライト
６  照明キー
９  圧力センサ
２０  機器ケース
２３  操作釦
２７  ラバー部材
２８  ストッパ部材
２９  スイッチ接点基板
３１  回路基板
【図１】
0005489213.tif 000002
【図２】
0005489213.tif 000003
【図３】
0005489213.tif 000004
【図４】
0005489213.tif 000005
【図５】
0005489213.tif 000006
【図６】
0005489213.tif 000007
【図７】
0005489213.tif 000008
【図８】
0005489213.tif 000009